(57)【要約】【課題】簡潔な構成で良好な放熱を実現することができる表示装置を提供する。【解決手段】表示装置は、プロジェクタが発した表示光Ｐを反射させる反射面２２ａを有する反射鏡２２と、反射鏡２２を収容する第１筐体５０と、反射鏡２２における反射面２２ａの裏面と間隔を空けて対向する回路基板ＣＢと、を備える。第１筐体５０は、反射面２２ａで反射する表示光Ｐが通る第１空間Ｓ１と、反射鏡２２と回路基板ＣＢとの間に位置する第２空間Ｓ２と、第１空間Ｓ１と第２空間Ｓ２との間に位置する開口部５０ａと、を有して形成され、開口部５０ａが反射鏡２２に覆われていることによって、第１空間Ｓ１と第２空間Ｓ２とは区切られている。第１筐体５０には、第２空間Ｓ２に位置するとともに、回路基板ＣＢにおける反射鏡２２に向く面に実装された回路素子と当接する放熱部５１が設けられている。【選択図】図３
2020015478.tif 000002
【特許請求の範囲】
【請求項１】
乗り物に搭載され、画像を表す表示光を透光部材に向けて射出することで前記画像を虚像として表示する表示装置であって、
前記表示光を生成する表示器が発した前記表示光を反射させる反射面を有する反射鏡と、
前記反射鏡を収容する筐体と、
前記反射鏡における前記反射面の裏面と間隔を空けて対向する回路基板と、を備え、
前記筐体は、前記反射面で反射する前記表示光が通る第１空間と、前記反射鏡と前記回路基板との間に位置する第２空間と、前記第１空間と前記第２空間との間に位置する開口部と、を有して形成され、
前記開口部が前記反射鏡に覆われていることによって、前記第１空間と前記第２空間とは区切られ、
前記筐体には、前記第２空間に位置するとともに、前記回路基板における前記反射鏡に向く面に実装された回路素子と当接する放熱部が設けられている、
表示装置。
【請求項２】
前記反射鏡の前記裏面を覆い、金属で形成されたシールド部材をさらに備える、
請求項１に記載の表示装置。
【請求項３】
前記放熱部は、金属で形成されたヒートシンクを有し、
前記ヒートシンクは、前記筐体と一体に形成されている、
請求項１又は２に記載の表示装置。
【請求項４】
前記放熱部は、前記ヒートシンクに設けられた熱伝導シートを有し、
前記熱伝導シートが前記回路素子に当接する、
請求項３に記載の表示装置。
【請求項５】
前記回路素子は、複数あり、
第１の方向に沿う第１回路素子群と、
前記第１の方向に沿うとともに、前記第１回路素子群と前記第１の方向と直交する第２の方向において隣り合う第２回路素子群と、を有し、
前記放熱部は、前記第１回路素子群と当接する第１当接部と、前記第１当接部よりも前記回路基板から離れた位置にあるとともに、前記第２回路素子群と当接する第２当接部と、を有する、
請求項１乃至４のいずれか１項に記載の表示装置。
【発明の詳細な説明】
【技術分野】
【０００１】
本発明は、乗り物に搭載される表示装置に関する。
【背景技術】
【０００２】
従来の乗り物に搭載される表示装置として、例えば特許文献１には、車両に搭載され、表示光が表す画像を虚像として表示するヘッドアップディスプレイ装置が開示されている。特許文献１に開示された表示装置は、表示光を生成する表示器が発した熱を放つために、放熱部としてヒートシンクが表示器に接続された構造を有している。
【先行技術文献】
【特許文献】
【０００３】
【特許文献１】特開２０１５−６３２２３号公報
【発明の概要】
【発明が解決しようとする課題】
【０００４】
この種の表示装置では、回路基板に実装され、発熱量が大きい回路素子を効果的に放熱できることが望ましい。しかしながら、当該表示装置は、車両等の乗り物に搭載されるという特性上、表示器が発した表示光を反射させる反射鏡などの各部品のレイアウトに制約が生じる。したがって、当該制約を加味しつつも、放熱を簡潔に実現することが求められる。
【０００５】
本発明は、上記実情に鑑みてなされたものであり、簡潔な構成で良好な放熱を実現することができる表示装置を提供することを目的とする。
【課題を解決するための手段】
【０００６】
上記目的を達成するため、本発明に係る表示装置は、
乗り物に搭載され、画像を表す表示光を透光部材に向けて射出することで前記画像を虚像として表示する表示装置であって、
前記表示光を生成する表示器が発した前記表示光を反射させる反射面を有する反射鏡と、
前記反射鏡を収容する筐体と、
前記反射鏡における前記反射面の裏面と間隔を空けて対向する回路基板と、を備え、
前記筐体は、前記反射面で反射する前記表示光が通る第１空間と、前記反射鏡と前記回路基板との間に位置する第２空間と、前記第１空間と前記第２空間との間に位置する開口部と、を有して形成され、
前記開口部が前記反射鏡に覆われていることによって、前記第１空間と前記第２空間とは区切られ、
前記筐体には、前記第２空間に位置するとともに、前記回路基板における前記反射鏡に向く面に実装された回路素子と当接する放熱部が設けられている。
【発明の効果】
【０００７】
本発明によれば、簡潔な構成で良好な放熱を実現することができる。
【図面の簡単な説明】
【０００８】
【図１】本発明の一実施形態に係るヘッドアップディスプレイ（ＨＵＤ）装置の表示態様を説明するための図である。
【図２】ＨＵＤ装置の概略構成図である。
【図３】図２に示すＱ部の詳細構成を示す図である。
【図４】ＨＵＤ装置が備える第１ユニットにおける一部構成を除いた斜視図である。
【図５】（ａ）及び（ｂ）は、回路基板の概略平面図である。
【図６】電源回路における主要な回路素子の機能を説明するための概略回路図である。
【図７】駆動回路における主要な回路素子の機能を説明するための概略回路図である。
【図８】（ａ）は、本発明の一実施形態に係る放熱部を示す模式図であり、（ｂ）は、変形例に係る放熱部を示す模式図である。
【発明を実施するための形態】
【０００９】
本発明の一実施形態について図面を参照して説明する。
【００１０】
本実施形態に係る表示装置は、図１に示すヘッドアップディスプレイ（ＨＵＤ）装置１である。ＨＵＤ装置１は、車両２のダッシュボードに配設され、図２に模式的に示す画像Ｍを表す表示光Ｐをウインドシールド３（フロントガラス）に向けて射出する。ウインドシールド３で反射した表示光Ｐは、ウインドシールド３の前方に画像Ｍの虚像Ｖとして観察者４（主に、車両２の運転者）に視認される。このようにして、ＨＵＤ装置１は、車両２の前方の景色に重ねて、虚像Ｖとして視認される画像Ｍを表示する。画像Ｍは、例えば、車速、エンジン回転数、ナビゲーション情報などの車両２に関する車両情報を報知するための画像である。なお、車両情報は、車両２自体の情報だけでなく、車両２の外部の情報も含んでいてもよい。
【００１１】
ＨＵＤ装置１は、図２に示すように、表示光Ｐを生成する第１ユニット５Ａと、第１ユニット５Ａにより生成された表示光Ｐをウインドシールド３へと導く第２ユニット５Ｂとを備える。
【００１２】
第１ユニット５Ａは、プロジェクタ１０と、反射鏡２１，２２を有する第１光学リレー２０と、スクリーン３０と、制御部４０と、第１筐体５０と、シールド部材Ｓと、蓋部６０とを備える。
【００１３】
プロジェクタ１０は、フィールドシーケンシャル方式によってスクリーン３０に画像を表示するべく、反射鏡２１に向けて表示光Ｐを射出する。
【００１４】
プロジェクタ１０は、光源部１０ａと、反射型表示素子１０ｂと、投影レンズ１０ｃとを備える。
光源部１０ａは、ＬＥＤ（Light Emitting Diode）群１０１と、光合成部１０２とを備える。ＬＥＤ群１０１は、赤色光を発するＲ−ＬＥＤと、緑色光を発するＧ−ＬＥＤと、青色光を発するＢ−ＬＥＤとから構成される。ＬＥＤ群１０１の各々は、制御部４０によってフィールドシーケンシャル方式で駆動され、所定の強度及びタイミングで発光する。光合成部１０２は、ダイクロックミラー及び反射ミラーからなり、ＬＥＤ群１０１が発したＲ，Ｇ，Ｂ各色の光を合成する。
反射型表示素子１０ｂは、光合成部１０２からの合成光を受けて表示光Ｐを生成し、その表示光Ｐを投影レンズ１０ｃに向けて射出する。反射型表示素子１０ｂは、例えば、可動式の複数のマイクロミラーを有するＤＭＤ（Digital Micro-mirror Device）からなり、制御部４０の制御により、各ミラーがオンとオフとのいずれかの状態で制御されることで、光合成部１０２からの合成光を空間光変調して表示光Ｐを生成し、射出する。
投写レンズ１０ｃは、スクリーン３０に合わせて表示光Ｐを拡大する。なお、適宜の図に示した表示光Ｐは、表示光Ｐの主光線を例示したものである。
【００１５】
第１光学リレー２０における反射鏡２１は、例えば平面鏡からなり、プロジェクタ１０からの表示光Ｐを反射鏡２２に向けて反射させる。
【００１６】
反射鏡２２は、例えば平面鏡からなり、反射鏡２１からの表示光Ｐをスクリーン３０に向けて反射させる反射面２２ａを有する。反射面２２ａで反射した表示光Ｐは、スクリーン３０へと向かう。
【００１７】
スクリーン３０は、プロジェクタ１０から射出され、反射鏡２２で反射した表示光Ｐを受ける。スクリーン３０は、例えば、平面視で矩形状に形成されている。スクリーン３０は、ホログラフィックディフューザ、マイクロレンズアレイ、拡散板等から構成される透過型スクリーンであり、表示光Ｐを背面（図２における下面）で受光し、前面（図２における上面）に画像Ｍを表示する。これにより、画像Ｍを表す表示光Ｐが後述の反射鏡７１に向けて射出される。
【００１８】
制御部４０は、ＨＵＤ装置１の動作を制御するものであり、図示しない主制御部と、図５（ａ）に示す駆動回路４１及び電源回路４２とを備える。
主制御部は、例えばマイクロコンピュータ（マイコン）からなり、ＣＰＵ（Central Processing Unit）、ＲＯＭ（Read Only Memory）、ＲＡＭ（Random Access Memory）などを備える。ＣＰＵは、ＲＯＭに予め記憶された動作プログラムを読み出して実行することで、ＨＵＤ装置１の全体動作を制御する。なお、主制御部は、ＦＰＧＡ（Field Programmable Gate Array）やＡＳＩＣ（Application Specific Integrated Circuit）から構成されていてもよい。主制御部は、車両２に搭載されたＥＣＵ（Electronic Control Unit）からの車両情報に基づき、車両情報を示す画像Ｍを表示するための画像データを生成する。また、主制御部は、生成した画像データに基づき、反射型表示素子１０ｂを駆動制御するとともに、駆動回路４１を介してＬＥＤ群１０１を駆動制御する。電源回路４２は、駆動回路４１に電源を供給する。
【００１９】
図２において模式的に示した制御部４０は、図３に示す回路基板ＣＢに実装されている。なお、図３は、図２に示すＱ部の詳細構成を示す図である。
【００２０】
回路基板ＣＢは、絶縁性を有する板状の基材Ｂａに導体の配線が形成されてなるプリント配線板に、後述の各回路素子が実装されて構成されている。回路基板ＣＢは、図３、図４に示すように、反射鏡２２における反射面２２ａの裏面と間隔を空けて設けられている。なお、第１ユニット５Ａにおける一部構成（第１筐体５０の一部や、シールド部材Ｓ）を除いた斜視図である。回路基板ＣＢは、例えば、第１筐体５０に対して固定されている。なお、制御部４０においては、少なくとも駆動回路４１及び電源回路４２が回路基板ＣＢに形成されていればよく、主制御部は回路基板ＣＢとは別の回路基板（図示せず）に実装されていてもよい。
【００２１】
第１筐体５０は、プロジェクタ１０、第１光学リレー２０、スクリーン３０及び回路基板ＣＢを、上述の機能を充足する適宜の位置に配設するとともに収納する。第１筐体５０は、連結部Ｃを介して、第２ユニット５Ｂの後述する第２筐体８０と接続されている。
【００２２】
第１筐体５０は、図３に示すように、第１空間Ｓ１と、第２空間Ｓ２と、開口部５０ａとを有して形成されている。
第１空間Ｓ１は、反射鏡２２の反射面２２ａ側に形成されるとともに、反射面２２ａで反射する表示光Ｐ（反射面２２ａに入射する表示光Ｐ及び反射面２２ａで反射した表示光Ｐ）が通る空間である。第２空間Ｓ２は、反射鏡２２の裏面（反射面２２ａとは反対側の面）側に形成されるとともに、反射鏡２２と回路基板ＣＢとの間に位置する空間である。開口部５０ａは、第１空間Ｓ１と第２空間Ｓ２との間に位置する。
【００２３】
反射鏡２２は、開口部５０ａを下側（第２空間Ｓ２側）から覆う態様で、第１筐体５０に設けられている。このように、開口部５０ａに反射鏡２２が設けられることによって、第１空間Ｓ１と第２空間Ｓ２とは区切られる。
【００２４】
シールド部材Ｓは、開口部５０ａを下側（第２空間Ｓ２側）から覆う態様で、反射鏡２２の裏面側に設けられている。シールド部材Ｓは、金属からなる板状部材であり、例えば鉄やアルミニウム合金から形成されている。例えば、シールド部材Ｓは、図示しないグランド端子（例えば、回路基板ＣＢのグランドパターン）と電気的に接続され、接地されている。
【００２５】
図３に示すように、第１筐体５０には、回路基板ＣＢにおける反射鏡２２に向く面に実装された所定の回路素子（詳しくは後述する）と当接する放熱部５１が設けられている。
【００２６】
放熱部５１は、回路基板ＣＢの基材Ｂａと対向して設けられ、ヒートシンク５１０と、熱伝導シート５１１とを有する。
【００２７】
ヒートシンク５１０は、第１筐体５０と一体に形成されている。第１筐体５０及びヒートシンク５１０は、例えばマグネシウム合金などの金属から形成されている。ヒートシンク５１０は、図３に示すように、開口部５０ａの外周部から回路基板ＣＢに向かって形成され、開口部５０ａから回路基板ＣＢに向かって末広がりとなって側面視で概ねＬ字状に形成されている。そして、ヒートシンク５１０の底部が回路基板ＣＢと接近する格好となる。
【００２８】
熱伝導シート５１１は、ヒートシンク５１０の底部に設けられている。熱伝導シート５１１は、例えばＴＩＭ（Thermal Interface Material）からなり、熱伝導性が良好な弾性体により形成されている。この熱伝導シート５１１が、放熱部５１のうち所定の回路素子と当接する。
これにより、回路基板ＣＢの所定の回路素子で発生した熱を、熱伝導シート５１１、ヒートシンク５１０（第１筐体５０）を介して、効果的に放つことができる。
【００２９】
ここで、回路基板ＣＢの基材Ｂａにおける放熱部５１と対向する面（具体的には、ヒートシンク５１０の底部又は熱伝導シート５１１と対向する面）を「対向面」と呼ぶ。そして、以下の説明の理解を容易とするため、対向面の法線方向に延びる軸をＺ軸とした、ＸＹＺ直交座標系を導入する。この場合、Ｘ−Ｙ平面は、基材Ｂａの対向面と平行となる。また、図においてＸ，Ｙ，Ｚの各軸を示す矢印が向く方向を、当該矢印が示す軸の「＋」方向とし、その反対方向を「−」方向とする。
【００３０】
図８（ａ）は、回路基板ＣＢにおける所定の回路素子が放熱部５１と当接する箇所を−Ｙ方向から見た場合の模式図である。図８（ａ）に示すように、ヒートシンク５１０は、効果的に放熱するための放熱フィン５１０ａを有している。
【００３１】
蓋部６０は、図３に示すように、回路基板ＣＢを裏側（−Ｚ方向側）から覆うように、第１筐体５０に取りつけられている。蓋部６０は、例えば、金属からなり、具体的には、鉄やアルミニウム合金から形成されている。
【００３２】
図２に戻って、第２ユニット５Ｂは、反射鏡７１及び凹面鏡７２を有する第２光学リレー７０と、第２筐体８０と、を備える。
【００３３】
第２光学リレー７０における反射鏡７１は、例えば平面鏡からなり、スクリーン３０からの表示光Ｐを凹面鏡７２に向けて反射させる。また、凹面鏡７２は、反射鏡７１からの表示光Ｐをウインドシールド３に向けて反射させる。これにより、観察者４に虚像Ｖとして視認される画像Ｍは、スクリーン３０に表示された画像Ｍよりも拡大されたものとなる。
【００３４】
第２筐体８０は、第２光学リレー７０を、上述の機能を充足する適宜の位置に配設するとともに収納する。第２筐体８０には、開口部が形成され、この開口部には透光板８１が設けられている。透光板８１は、アクリル等の透光性樹脂からなり、凹面鏡７２からの表示光Ｐを透過させる。
【００３５】
ＨＵＤ装置１が虚像Ｖを表示する機構を簡潔に述べる。プロジェクタ１０が射出した表示光Ｐは、第１光学リレー２０を介して、スクリーン３０に画像Ｍとして投影される。スクリーン３０に表示された画像Ｍを表す表示光Ｐは、第２光学リレー７０を介して、ウインドシールド３へ射出される。このようにしてＨＵＤ装置１から射出された表示光Ｐがウインドシールド３で反射することで、ウインドシールド３の前方に画像Ｍが虚像Ｖとして表示される。
【００３６】
（回路基板ＣＢの回路素子について）
続いて、回路基板ＣＢの回路素子について説明する。回路基板ＣＢは、図５（ａ）に示すように、各種の回路素子を含んで構成される駆動回路４１及び電源回路４２を有する。図５（ａ）及び（ｂ）は、回路基板ＣＢを＋Ｚ方向から見た場合の概略平面図である。
【００３７】
なお、以下では、図５（ａ）及び（ｂ）に示された回路素子について主に説明するとともに、当該回路素子の機能を適宜図６、図７を参照して簡潔に説明する。図６は、電源回路４２における主要な回路素子の機能を説明するための概略回路図であり、図７は、駆動回路４１における主要な回路素子の機能を説明するための概略回路図である。
【００３８】
電源回路４２は、例えば、昇圧と降圧とが共に可能なＳＥＰＩＣ（Single Ended Primary Inductor Converter）コンバータであって、ＤＣ／ＤＣコンバータ（ＤＣ：Direct Current）として構成されている。例えば、電源回路４２は、車両２に搭載されたバッテリ２ａからの電圧（例えば１２Ｖ）を降圧し、降圧後の電圧（例えば８Ｖ）を駆動回路４１へ出力する。
【００３９】
電源回路４２は、図５（ａ）に示すように、基材Ｂａのうち放熱部５１と対向する対向面に実装された主な回路素子として、コイルＬ１，Ｌ２（インダクタ）と、ＦＥＴ（Field Effect Transistor）４２ａ，４２ｂと、を備える。また、電源回路４２は、回路基板ＣＢの適宜の位置（例えば、基材Ｂａにおける対向面の裏面）に実装されたコンバータＩＣ（Integrated Circuit）４２０を備える。コンバータＩＣ４２０は、例えば、パワー素子非内蔵型のものである。
【００４０】
図６に概略を示すように、コイルＬ１，Ｌ２は、バッテリ２ａからのパワーラインと電気的に接続されている。コイルＬ１は電源回路４２の入力側に位置し、コイルＬ２は電源回路４２のグランド側に位置する。コイルＬ１，Ｌ２は、昇圧時と降圧時のいずれでも供給された電流エネルギーを蓄える。電源回路４２の一次側のＦＥＴ４２ａと二次側のＦＥＴ４２ｂとは、コンバータＩＣ４２０の制御によりスイッチング動作を行い、昇圧時と降圧時のいずれでも動作する。ＦＥＴ４２ａはＮチャネル型のＭＯＳＦＥＴ（Metal-Oxide-Semiconductor Field Effect Transistor）からなり、ＦＥＴ４２ｂはＰチャネル型のＭＯＳＦＥＴからなる。なお、二次側のＦＥＴ４２ｂに代えてダイオードを設けてもよい。
【００４１】
駆動回路４１は、光源部１０ａにおけるＬＥＤ群１０１を構成する赤、緑、青色の各色ＬＥＤを、フィールドシーケンシャル方式で駆動する。駆動回路４１は、電源回路４２からの電源供給（降圧後の電源電圧）により動作する。
【００４２】
駆動回路４１は、図５（ａ）に示すように、基材Ｂａのうち放熱部５１と対向する対向面に実装された主な回路素子として、定電流駆動のためのコイルＬ３（インダクタ）、ＦＥＴ４１ａ及びダイオードＤと、ＬＥＤ群１０１への電流供給タイミングを制御するためのＦＥＴ群４１１と、を備える。また、駆動回路４１は、回路基板ＣＢの適宜の位置（例えば、基材Ｂａにおける対向面の裏面）に実装されたドライバＩＣ４１０を備える。ドライバＩＣ４１０は、定電流制御を行うためのものであり、例えば、パワー素子非内蔵型のものである。
【００４３】
図７に概略を示すように、主に、駆動回路４１は、電源電圧の入力側から、ドライバＩＣ４１０の制御によりスイッチング動作を行うＦＥＴ４１ａ、ダイオードＤ、及びコイルＬ３の順で構成された回路を有している。そして、当該回路の後段に、ＦＥＴ群４１１が設けられている。なお、ＦＥＴ４１ａはＰチャネル型のＭＯＳＦＥＴからなり、ダイオードＤはツェナーダイオードからなる。
【００４４】
ＦＥＴ群４１１は、ドライバＩＣ４１０の制御によりスイッチング動作を行う、６つのＦＥＴ４１１ａ〜４１１ｆから構成されている。６つのＦＥＴ４１１ａ〜４１１ｆは、各々、Ｎチャネル型のＭＯＳＦＥＴからなる。ＦＥＴ４１１ａ，４１１ｂは、ＬＥＤ群１０１を構成するＲ，Ｇ，Ｂ−ＬＥＤへ所望の電流を安定して供給するためのものであり、Ｒ，Ｇ，Ｂ−ＬＥＤの消灯時（ブランキング状態）における電流供給を調整する。ＦＥＴ４１１ｃは、予め定められた設定輝度より低い低輝度時にのみイネーブルとなる低輝度用ＦＥＴである。ＦＥＴ４１１ｃは、Ｒ，Ｇ，Ｂ−ＬＥＤの各点灯期間を低減させることで、表示光Ｐを低輝度とする。ＦＥＴ４１１ｄはＲ−ＬＥＤを、ＦＥＴ４１１ｅはＧ−ＬＥＤを、ＦＥＴ４１１ｆはＢ−ＬＥＤを所望のタイミングで点灯させる。ＦＥＴ４１１ｄ、４１１ｅ、４１１ｆの各々のゲートは、主制御部と電気的に接続され、各々のドレイン側はＬＥＤ群１０１と電気的に接続されている。ＦＥＴ４１１ｄのゲートには主制御部からＲ−ＬＥＤの発光タイミングを制御するためのイネーブル信号（Ｒ−ＥＮ）が供給される。ＦＥＴ４１１ｅのゲートには主制御部からＧ−ＬＥＤの発光タイミングを制御するためのイネーブル信号（Ｇ−ＥＮ）が供給される。ＦＥＴ４１１ｆのゲートには主制御部からＢ−ＬＥＤの発光タイミングを制御するためのイネーブル信号（Ｂ−ＥＮ）が供給される。これにより、ＬＥＤ群１０１を構成するＲ，Ｇ，Ｂ各色のＬＥＤは、フィールドシーケンシャル方式で駆動される。
【００４５】
図５（ｂ）に示すように、以上に説明した各種回路素子のうち、駆動回路４１のＦＥＴ群４１１と、電源回路４２のＦＥＴ４２ａ，４２ｂとは、第１回路素子群６Ｌを構成する。また、駆動回路４１のダイオードＤ、ＦＥＴ４１ａ及びコイルＬ３と、電源回路４２のコイルＬ２とは、第２回路素子群６Ｈを構成する。
第１回路素子群６Ｌは、図５（ｂ）に示すように、Ｙ方向（第１の方向の一例）に沿って配設されている。また、第１回路素子群６Ｌを構成する複数の回路素子は、図８（ａ）に示すように、Ｚ方向（対向面の法線方向）における高さが略一致する。
第２回路素子群６Ｈは、図５（ｂ）に示すように、Ｙ方向に沿って配列されているとともに、第１回路素子群６ＬとＸ方向（第２の方向の一例）において隣り合っている。また、第２回路素子群６Ｈを構成する複数の回路素子は、図８（ａ）に示すように、Ｚ方向における高さが略一致するとともに、第１回路素子群６Ｌを構成する複数の回路素子よりも高さが高く設定されている。
【００４６】
また、図８（ａ）に示すように、放熱部５１は、第１回路素子群６Ｌと当接する第１当接部７ａと、第１当接部７ａよりも対向面から離れた位置にあるとともに、第２回路素子群６Ｈと当接する第２当接部７ｂと、を有する。具体的には、図８（ａ）に示す構成では、ヒートシンク５１０の底面が、回路基板ＣＢの基材Ｂａの対向面と平行になるように形成されている。そして、当該底面に接着などの公知の手法で固定された熱伝導シート５１１が、第１当接部７ａ及び第２当接部７ｂを構成する。熱伝導シート５１１は、そのＺ方向における厚みが、第１当接部７ａのほうが第２当接部７ｂよりも厚くなるように形成されており、これにより、第１回路素子群６Ｌと当接する第１当接部７ａと、第２回路素子群６Ｈと当接する第２当接部７ｂとが実現されている。
【００４７】
なお、放熱部５１の変形例として、図８（ｂ）に示すように、第１当接部７ａと第２当接部７ｂとを構成する熱伝導シート５１１の厚みを一定としてもよい。こうした場合、熱伝導シート５１１の厚みと、第１回路素子群６Ｌ及び第２回路素子群６Ｈの各々の高さとを考慮し、ヒートシンク５１０の底面が段状になるように形成すればよい。なお、図８（ｂ）では、熱伝導シート５１１を第１当接部７ａ及び第２当接部７ｂの各々に分けて二枚で構成した例を示しているが、一枚で構成してもよい。
【００４８】
なお、第１回路素子群６Ｌを構成する複数の回路素子の高さが略一致するや、第２回路素子群６Ｈを構成する複数の回路素子の高さが略一致するという表現における「略一致」とは、完全に一致するだけでなく、若干の範囲でバラツキがあってもよい。第１回路素子群６Ｌと第２回路素子群６Ｈとの各々と当接する熱伝導シート５１１は、弾性を有するため、熱伝導シート５１１の弾性変形で当接可能な範囲（例えば５ｍｍ以下の範囲）であれば、各回路素子の高さにバラツキがあってもよい。
【００４９】
以上に説明したＨＵＤ装置１は、車両２に搭載され、画像Ｍを表す表示光Ｐをウインドシールド３（透光部材の一例）に向けて射出することで画像Ｍを虚像として表示する。
【００５０】
（１−１）ＨＵＤ装置１は、表示光Ｐの基となる光を発する光源（ＬＥＤ群１０１を構成する各色ＬＥＤ）を駆動する駆動回路４１と、駆動回路４１に電源を供給する電源回路４２とを有する回路基板ＣＢと、回路基板ＣＢの基材Ｂａと対向する放熱部５１と、を備える。基材Ｂａは、放熱部５１と対向する対向面を有し、回路基板ＣＢは、Ｙ方向（第１の方向）に沿って対向面上に配設された複数の回路素子からなる第１回路素子群６Ｌと、Ｙ方向に沿って対向面上に配設された複数の回路素子からなるとともに、第１回路素子群６ＬとＸ方向（第２の方向）において隣り合う第２回路素子群６Ｈと、を有する。第１回路素子群６Ｌ及び第２回路素子群６Ｈの集合は、駆動回路４１に含まれる駆動回路素子群（ＦＥＴ群４１１、ダイオードＤ、ＦＥＴ４１ａ、コイルＬ３）と、電源回路４２に含まれる電源回路素子群（ＦＥＴ４２ａ，４２ｂ、コイルＬ１，Ｌ２）とから構成される。
第１回路素子群６Ｌを構成する複数の回路素子は、対向面の法線方向（Ｚ方向）における高さが略一致し、第２回路素子群６Ｈを構成する複数の回路素子は、前記法線方向における高さが略一致するとともに、第１回路素子群６Ｌを構成する複数の回路素子よりも高さが高い。放熱部５１は、第１回路素子群６Ｌと当接する第１当接部７ａと、第１当接部７ａよりも対向面から離れた位置にあるとともに、第２回路素子群６Ｈと当接する第２当接部７ｂと、を有する。
【００５１】
上記（１−１）の構成によれば、第１回路素子群６Ｌを構成する複数の回路素子の高さを揃え、且つ、第２回路素子群６Ｈを構成する複数の回路素子の高さを揃え、第１回路素子群６Ｌ及び第２回路素子群６Ｈの各々の高さを考慮して放熱部５１を形成すればよいため、回路素子が発した熱を放つ放熱部５１の複雑化を抑制することができる。
【００５２】
（１−２）また、ＨＵＤ装置１においては、図５（ａ）に示すように、駆動回路素子群が配設された領域（駆動回路４１の形成領域）と、電源回路素子群が配設された領域（電源回路４２の形成領域）とは、Ｙ方向（第１の方向）において隣り合う。
【００５３】
上記（１−２）の構成によれば、駆動回路４１及び電源回路４２の各々のレイアウトを極力変更せずに済むため、ノイズ特性が悪化する等で電気的特性が損ねられてしまうことを防止することができる。
【００５４】
（１−３）また、放熱部５１は、金属で形成されたヒートシンク５１０と、ヒートシンク５１０の対向面側に設けられた熱伝導シート５１１とを有し、熱伝導シート５１１が第１当接部７ａ及び第２当接部７ｂを有する。
【００５５】
上記（１−３）の構成によれば、熱伝導シート５１１が有する弾性によって回路素子に与えるストレスを軽減することができる。
【００５６】
（１−４）また、ＨＵＤ装置１は、前記光源を有する表示器（プロジェクタ１０）が発した表示光Ｐを反射させる反射鏡２２と、反射鏡２２を収容する第１筐体５０（筐体の一例）とを備え、ヒートシンク５１０は、第１筐体５０と一体に形成されている。
【００５７】
上記（１−４）の構成によれば、部品点数の増加を抑制することができるとともに、回路基板ＣＢの回路素子で発生した熱を、熱伝導シート５１１及びヒートシンク５１０（第１筐体５０）を介して効果的に放つことができる。
【００５８】
（２−１）上記（１−１）とは別の観点として、ＨＵＤ装置１は、表示光Ｐを生成する表示器（プロジェクタ１０）が発した表示光Ｐを反射させる反射面２２ａを有する反射鏡２２と、反射鏡２２を収容する第１筐体５０（筐体の一例）と、反射鏡２２における反射面２２ａの裏面と間隔を空けて対向する回路基板ＣＢと、を備える。第１筐体５０は、反射面２２ａで反射する表示光Ｐが通る第１空間Ｓ１と、反射鏡２２と回路基板ＣＢとの間に位置する第２空間Ｓ２と、第１空間Ｓ１と第２空間Ｓ２との間に位置する開口部５０ａと、を有して形成され、開口部５０ａが反射鏡２２に覆われていることによって、第１空間Ｓ１と第２空間Ｓ２とは区切られている。
第１筐体５０には、第２空間Ｓ２に位置するとともに、回路基板ＣＢにおける反射鏡２２に向く面に実装された回路素子（第１回路素子群６Ｌや第２回路素子群６Ｈに含まれる回路素子）と当接する放熱部５１が設けられている。
【００５９】
上記（２−１）の構成によれば、第１筐体５０に放熱部５１を設けたため、簡潔な構成で、良好な放熱を実現することができる。
【００６０】
（２−２）また、ＨＵＤ装置１は、反射鏡２２の裏面を覆い、金属で形成されたシールド部材Ｓをさらに備える。
【００６１】
上記（２−２）の構成によれば、回路素子が位置する第２空間Ｓ２と、表示光Ｐが通る第１空間Ｓ１とを電磁的に遮蔽することができるため、当該回路素子が発するノイズが他のシステムに影響を及ぼさないように、且つ、他のシステムからのノイズが当該回路素子の正常動作に影響を及ぼさないように、電磁両立性（ＥＭＣ: Electro Magnetic Compatibility）を確保することができる。したがって、簡潔な構成で、良好な放熱と電磁両立性とを実現することができる
【００６２】
（２−３）また、放熱部５１は、金属で形成されたヒートシンク５１０を有し、ヒートシンク５１０は、第１筐体５０と一体に形成されている。
【００６３】
上記（２−３）の構成によれば、部品点数の増加を抑制することができる。
【００６４】
（２−４）また、放熱部５１は、ヒートシンク５１０に設けられた熱伝導シート５１１を有し、熱伝導シート５１１が前記回路素子に当接する。
【００６５】
上記（２−４）の構成によれば、熱伝導シート５１１が有する弾性によって回路素子に与えるストレスを軽減することができる。
【００６６】
（２−５）ＨＵＤ装置１においては、回路素子は、複数あり、Ｙ方向（第１の方向の一例）に沿う第１回路素子群６Ｌと、Ｙ方向に沿うとともに、第１回路素子群６ＬとＸ方向（第２の方向の一例）において隣り合う第２回路素子群６Ｈと、を有する。また、放熱部５１は、第１回路素子群６Ｌと当接する第１当接部７ａと、第１当接部７ａよりも回路基板ＣＢから離れた位置にあるとともに、第２回路素子群６Ｈと当接する第２当接部７ｂと、を有する。
【００６７】
上記（２−５）の構成によれば、第１回路素子群６Ｌを構成する複数の回路素子の高さを揃え、且つ、第２回路素子群６Ｈを構成する複数の回路素子の高さを揃え、第１回路素子群６Ｌ及び第２回路素子群６Ｈの各々の高さを考慮して放熱部５１を形成すればよいため、回路素子が発した熱を放つ放熱部５１の複雑化を抑制することができる。
【００６８】
本発明は、以上の実施形態、変形例、及び図面によって限定されるものではない。本発明の要旨を変更しない範囲で、適宜、実施形態及び図面に変更（構成要素の削除も含む）を加えることが可能である。
【００６９】
第１回路素子群６Ｌ及び第２回路素子群６Ｈの各々を構成する回路素子は、任意であり、上記例の回路素子以外の所定のＩＣや抵抗素子などで構成されてもよい。但し、第１回路素子群６Ｌ及び第２回路素子群６Ｈの各々を構成する回路素子は、発熱量が比較的多い、コイルやＦＥＴを含んでいることが好ましい。
【００７０】
また、第１回路素子群６Ｌと第２回路素子群６Ｈとの各々の配列方向である第１の方向は、図３に示すように、車両２の前後方向に沿うＹ方向に限られず任意である。第１回路素子群６Ｌが第１の方向に沿って配設され、第２回路素子群６Ｈが第１の方向に沿って配設されるとともに、第１回路素子群６Ｌと第１の方向と直交する第２の方向において隣り合っている、という関係を満たす限りにおいては、第１の方向を車両２に対してどの方向に設定してもよい。
【００７１】
以上では、第１光学リレー２０は、２つの反射鏡２１，２２を備えた例を示したが、これに限られず、単数又は３つ以上の鏡から構成されてもよい。同様に、第２光学リレー７０は、少なくとも凹面鏡７２を備えていれば、単数又は３つ以上の鏡から構成されてもよい。また、反射鏡２１，２２及び反射鏡７１は、平面鏡に限られず、少なくともいずれかは画像Ｍの歪みを補正するための曲面を有する曲面鏡（自由曲面鏡も含む）であってもよい。
【００７２】
以上では、スクリーン３０を第１ユニット５Ａに設けた例を示したが、これに限られず、第２ユニット５Ｂに設けてもよい。
【００７３】
以上では、ＤＭＤからなる反射型表示素子１０ｂを備えた方式のプロジェクタ１０を説明したが、プロジェクタ１０の方式は、これに限られない。例えば、プロジェクタ１０は、ＬＣＯＳ（Liquid Crystal On Silicon）プロジェクタ、ＧＬＶ（Grating Light Valve）プロジェクタ、ＣＲＴ(Cathode Ray Tube)プロジェクタ又は液晶プロジェクタ等であってもよい。また、表示器は、プロジェクタ１０ではなくともよく、画像Ｍを表示する液晶ディスプレイや、有機ＥＬ（Electro-Luminescence）ディスプレイから構成されていてもよい。この場合、スクリーン３０を省略することができる。
【００７４】
また、ＨＵＤ装置１が表示光Ｐを射出する対象である透光部材は、ウインドシールド３に限られない。例えば、透光部材は、ウインドシールド３以外のＨＵＤ装置１の専用のコンバイナであってもよい。
【００７５】
また、ＨＵＤ装置１が搭載される乗り物は、車両に限られず、船舶、飛行機などの他の乗り物であってもよい。
【００７６】
以上の説明では、本発明の理解を容易にするために、重要でない公知の技術的事項の説明を適宜省略した。
【符号の説明】
【００７７】
１…ヘッドアップディスプレイ（ＨＵＤ）装置
Ｐ…表示光、Ｍ…画像、Ｖ…虚像
５Ａ…第１ユニット
１０…プロジェクタ、１０１…ＬＥＤ群
２２…反射鏡、２２ａ…反射面
Ｓ…シールド部材
３０…スクリーン
４０…制御部
ＣＢ…回路基板、Ｂａ…基材
４１…駆動回路、４１０…ドライバＩＣ
４２…電源回路、４２０…コンバータＩＣ
６Ｌ…第１回路素子群
４１１…ＦＥＴ群、４２ａ，４２ｂ…ＦＥＴ、Ｌ１…コイル
６Ｈ…第２回路素子群
４１ａ…ＦＥＴ、Ｄ…ダイオード、Ｌ２，Ｌ３…コイル
５０…第１筐体（筐体の一例）
５０ａ…開口部、Ｓ１…第１空間、Ｓ２…第２空間
５１…放熱部
５１０…ヒートシンク、５１０ａ…放熱フィン
５１１…熱伝導シート
７ａ…第１当接部
７ｂ…第２当接部
２…車両、２ａ…バッテリ
３…ウインドシールド（透光部材の一例）
４…観察者
【図１】
2020015478.tif 000003
【図２】
2020015478.tif 000004
【図３】
2020015478.tif 000005
【図４】
2020015478.tif 000006
【図５】
2020015478.tif 000007
【図６】
2020015478.tif 000008
【図７】
2020015478.tif 000009
【図８】
2020015478.tif 000010